(57)【特許請求の範囲】
【請求項１】
２つ折りされて一辺が綴じ合わされた帳票において、
第１方向に沿って形成された折り用兼切断用ミシン目と該折り用兼切断用ミシン目に対して平行に形成された第１切断用ミシン目との間に設けられた第１単位帳票領域と、前記折り用兼切断用ミシン目に関して前記第１切断用ミシン目とほぼ対称に形成された第２切断用ミシン目と前記折り用兼切断用ミシン目との間に設けられた第２単位帳票領域と、前記第１切断用ミシン目よりも外側に形成されて前記第１方向に沿って細長い矩形形状を有する第１接着領域と、前記第２切断用ミシン目よりも外側に形成されて前記第１接着領域とほぼ同じ形状を有する第２接着領域とを有する第１帳票と、
前記第１帳票とほぼ同じ構成を有する第２帳票とを備え、
前記第１帳票の第１接着領域の表面と前記第２帳票の第１接着領域の裏面とが接着され、
前記第１帳票の第２接着領域の表面と前記第２帳票の第２接着領域の裏面とが接着され、
前記第１帳票の第１単位帳票領域の表面の一端と前記第２帳票の第１単位帳票領域の裏面の一端とが前記第１方向と直交する第２方向に沿って再剥離可能に接着され、
前記第１帳票の第２単位帳票領域の表面の一端と前記第２帳票の第２単位帳票領域の裏面の一端とが前記第２方向に沿って再剥離可能に接着され、
前記折り用兼切断用ミシン目に沿って２つ折りされ、前記第２帳票の第１接着領域の表面と前記第２帳票の第２接着領域の表面とが接着されていることを特徴とする２つ折り綴じ合わせ帳票。
【請求項２】
２つ折りされて一辺が綴じ合わされた帳票において、
第１方向に沿って形成された折り用兼切断用ミシン目と該折り用兼切断用ミシン目に対して平行に形成された第１切断用ミシン目との間に設けられた第１単位帳票領域と、前記折り用兼切断用ミシン目に関して前記第１切断用ミシン目とほぼ対称に形成された第２切断用ミシン目と前記折り用兼切断用ミシン目との間に設けられた第２単位帳票領域と、前記第１切断用ミシン目よりも外側に形成されて前記第１方向に沿って細長い矩形形状を有する第１接着領域と、前記第２切断用ミシン目よりも外側に形成されて前記第１接着領域とほぼ同じ形状を有する第２接着領域とを有する第１帳票と、
前記第１帳票とほぼ同じ構成を有する第２帳票とを備え、
前記第１帳票の第１接着領域の表面と前記第２帳票の第１接着領域の裏面とが接着され、
前記第１帳票の第２接着領域の表面と前記第２帳票の第２接着領域の裏面とが接着され、
前記第１帳票の第１単位帳票領域の表面の一端と前記第２帳票の第１単位帳票領域の裏面の一端とが前記第１方向に沿って再剥離可能に接着され、
前記第１帳票の第２単位帳票領域の表面の一端と前記第２帳票の第２単位帳票領域の裏面の一端とが前記第１方向に沿って再剥離可能に接着され、
前記折り用兼切断用ミシン目に沿って２つ折りされ、前記第２帳票の第１接着領域の表面と前記第２帳票の第２接着領域の表面とが接着されていることを特徴とする２つ折り綴じ合わせ帳票。
【請求項３】
請求項１または２に記載の２つ折り綴じ合わせ帳票の製造システムにおいて、
前記第１帳票の第１単位帳票領域の表面の一端および前記第１帳票の第２単位帳票領域の表面の一端、並びに前記第１帳票の第１接着領域の表面および前記第１帳票の第２接着領域の表面に所定の接着剤を塗布するための第１接着剤塗布手段と、
前記第２帳票の第１接着領域の表面または前記第１帳票の第２接着領域の表面に所定の接着剤を塗布するための第２接着剤塗布手段と、
前記第１帳票の折り用兼切断用ミシン目、第１切断用ミシン目および第２切断用ミシン目、並びに前記第２帳票の折り用兼切断用ミシン目、第１切断用ミシン目および第２切断用ミシン目を形成するためのミシン目形成手段と、
前記第１帳票と前記第２帳票とが重ね合わされた状態において前記第２帳票の第１接着領域の表面と前記第２帳票の第２接着領域の表面とが対向するように前記折り用兼切断用ミシン目に沿って２つ折りするための２つ折り手段と、
前記２つ折り手段によって２つ折りされた帳票の接着すべき部分を圧着するための圧着手段とを備えていることを特徴とする製造システム。
【請求項４】
前記第１方向に沿って連続的に接続された複数の第１帳票からなる第１連続帳票を供給する第１給紙手段と、
前記第１方向に沿って連続的に接続された複数の第２帳票からなる第２連続帳票を供給する第２給紙手段と、
前記第１連続帳票および前記第２連続帳票から第１帳票および第２帳票を切断するための切断手段とをさらに備えていることを特徴とする請求項３に記載の製造システム。
【請求項５】
請求項１または２に記載の２つ折り綴じ合わせ帳票の製造方法において、
前記第１帳票の第１単位帳票領域の表面の一端および前記第１帳票の第２単位帳票領域の表面の一端、並びに前記第１帳票の第１接着領域の表面および前記第１帳票の第２接着領域の表面に所定の接着剤を塗布する第１接着剤塗布工程と、
前記第２帳票の第１接着領域の表面または前記第１帳票の第２接着領域の表面に所定の接着剤を塗布する第２接着剤塗布工程と、
前記第１帳票の折り用兼切断用ミシン目、第１切断用ミシン目および第２切断用ミシン目、並びに前記第２帳票の折り用兼切断用ミシン目、第１切断用ミシン目および第２切断用ミシン目を形成するミシン目形成工程と、
前記第１帳票と前記第２帳票とが重ね合わされた状態において前記第２帳票の第１接着領域の表面と前記第２帳票の第２接着領域の表面とが対向するように前記折り用兼切断用ミシン目に沿って２つ折りする２つ折り工程と、
前記２つ折りされた帳票の接着すべき部分を圧着するための圧着工程とを含むことを特徴とする製造方法。
【発明の詳細な説明】
【０００１】
【発明の属する技術分野】
本発明は、２つ折り綴じ合わせ帳票、並びに該帳票の製造システムおよび製造方法に関するものである。
【０００２】
【従来の技術】
従来、たとえば２枚の帳票を重ね合わせて２つ折りにした２つ折り綴じ合わせ帳票が知られている。この場合、重ね合わされた各帳票には折り曲げ線に関して対称に２つの単位帳票領域が配置され、この２つの単位帳票領域は折り曲げ線に沿って切断可能に構成されている。そして、通常、ミシン目に沿って綴じ合わせ部を取り除いて開封すると、２つ折りされた２枚の帳票はその一端において接着された状態になる。
【０００３】
【発明が解決しようとする課題】
上述のように構成された従来の２つ折り綴じ合わせ帳票では、重ね合わされた単位帳票領域同士が対をなしている場合が多い。そこで、中央の折り曲げ線に沿って切断すると、一端が互いに接着された一対の単位帳票同士はバラバラに分離することはないが、他方の一対の単位帳票同士はバラバラに分離してしまう。
【０００４】
一方、重ね合わされて対をなす単位帳票領域同士を、たとえば複写の後にバラバラに分離したい場合が多い。しかしながら、従来技術では、一端が互いに接着された一対の単位帳票領域同士を実質的に損傷なくバラバラに分離することはできなかった。
【０００５】
本発明は、前述の課題に鑑みてなされたものであり、綴じ合わせ部を取り除いて開封し且つ中央ミシン目に沿って切断しても、重なり合った一対の単位帳票領域同士がバラバラに分離することなく、また重なり合った一対の単位帳票領域同士を実質的に損傷なくバラバラに分離することのできる、２つ折り綴じ合わせ帳票を提供することを目的とする。
【０００６】
また、本発明は、綴じ合わせ部を取り除いて開封し且つ中央ミシン目に沿って切断して得られる重なり合った一対の単位帳票領域同士を左右開きで見ることのできる、２つ折り綴じ合わせ帳票を提供することを目的とする。
【０００７】
さらに、本発明は、本発明にかかる２つ折り綴じ合わせ帳票を製造するシステムおよび方法を提供することを目的とする。
【０００８】
【課題を解決するための手段】
前記課題を解決するために、本発明の第１発明では、２つ折りされて一辺が綴じ合わされた帳票において、
第１方向に沿って形成された折り用兼切断用ミシン目と該折り用兼切断用ミシン目に対して平行に形成された第１切断用ミシン目との間に設けられた第１単位帳票領域と、前記折り用兼切断用ミシン目に関して前記第１切断用ミシン目とほぼ対称に形成された第２切断用ミシン目と前記折り用兼切断用ミシン目との間に設けられた第２単位帳票領域と、前記第１切断用ミシン目よりも外側に形成されて前記第１方向に沿って細長い矩形形状を有する第１接着領域と、前記第２切断用ミシン目よりも外側に形成されて前記第１接着領域とほぼ同じ形状を有する第２接着領域とを有する第１帳票と、
前記第１帳票とほぼ同じ構成を有する第２帳票とを備え、
前記第１帳票の第１接着領域の表面と前記第２帳票の第１接着領域の裏面とが接着され、
前記第１帳票の第２接着領域の表面と前記第２帳票の第２接着領域の裏面とが接着され、
前記第１帳票の第１単位帳票領域の表面の一端と前記第２帳票の第１単位帳票領域の裏面の一端とが前記第１方向と直交する第２方向に沿って再剥離可能に接着され、
前記第１帳票の第２単位帳票領域の表面の一端と前記第２帳票の第２単位帳票領域の裏面の一端とが前記第２方向に沿って再剥離可能に接着され、
前記折り用兼切断用ミシン目に沿って２つ折りされ、前記第２帳票の第１接着領域の表面と前記第２帳票の第２接着領域の表面とが接着されていることを特徴とする２つ折り綴じ合わせ帳票を提供する。
【０００９】
第１発明の好ましい態様によれば、前記第１帳票の第１単位帳票領域の表面および第２単位帳票領域の表面、並びに前記第２帳票の第１単位帳票領域の表面および第２単位帳票領域の表面は、前記第１方向に沿って横書きされるように設定されている。また、前記第１帳票の第１単位帳票領域の表面の一端と前記第２帳票の第１単位帳票領域の裏面の一端との間の前記第１方向に沿った再剥離可能な接着領域と、前記第１帳票の第２単位帳票領域の表面の一端と前記第２帳票の第２単位帳票領域の裏面の一端との間の前記第１方向に沿った再剥離可能な接着領域とは、前記第１方向に沿った直線上に配置されていることが好ましい。
【００１０】
本発明の第２発明では、２つ折りされて一辺が綴じ合わされた帳票において、第１方向に沿って形成された折り用兼切断用ミシン目と該折り用兼切断用ミシン目に対して平行に形成された第１切断用ミシン目との間に設けられた第１単位帳票領域と、前記折り用兼切断用ミシン目に関して前記第１切断用ミシン目とほぼ対称に形成された第２切断用ミシン目と前記折り用兼切断用ミシン目との間に設けられた第２単位帳票領域と、前記第１切断用ミシン目よりも外側に形成されて前記第１方向に沿って細長い矩形形状を有する第１接着領域と、前記第２切断用ミシン目よりも外側に形成されて前記第１接着領域とほぼ同じ形状を有する第２接着領域とを有する第１帳票と、
前記第１帳票とほぼ同じ構成を有する第２帳票とを備え、
前記第１帳票の第１接着領域の表面と前記第２帳票の第１接着領域の裏面とが接着され、
前記第１帳票の第２接着領域の表面と前記第２帳票の第２接着領域の裏面とが接着され、
前記第１帳票の第１単位帳票領域の表面の一端と前記第２帳票の第１単位帳票領域の裏面の一端とが前記第１方向に沿って再剥離可能に接着され、
前記第１帳票の第２単位帳票領域の表面の一端と前記第２帳票の第２単位帳票領域の裏面の一端とが前記第１方向に沿って再剥離可能に接着され、
前記折り用兼切断用ミシン目に沿って２つ折りされ、前記第２帳票の第１接着領域の表面と前記第２帳票の第２接着領域の表面とが接着されていることを特徴とする２つ折り綴じ合わせ帳票を提供する。
【００１１】
第２発明の好ましい態様によれば、前記第１帳票の第１単位帳票領域の表面および第２単位帳票領域の表面、並びに前記第２帳票の第１単位帳票領域の表面および第２単位帳票領域の表面は、前記第１方向と直交する第２方向に沿って横書きされるように設定されている。また、前記第１帳票の第１単位帳票領域の表面の一端と前記第２帳票の第１単位帳票領域の裏面の一端との間の前記第１方向に沿った再剥離可能な接着領域と、前記第１帳票の第２単位帳票領域の表面の一端と前記第２帳票の第２単位帳票領域の裏面の一端との間の前記第１方向に沿った再剥離可能な接着領域とは、前記折り用兼切断用ミシン目上に配置されていることが好ましい。
【００１２】
また、第１発明および第２発明の好ましい態様によれば、前記第１帳票の第１単位帳票領域と前記第２帳票の第１単位帳票領域、または前記第１帳票の第２単位帳票領域と前記第２帳票の第２単位帳票領域とは複写可能に構成されている。
【００１３】
本発明の第３発明では、第１発明および第２発明の２つ折り綴じ合わせ帳票の製造システムにおいて、
前記第１帳票の第１単位帳票領域の表面の一端および前記第１帳票の第２単位帳票領域の表面の一端、並びに前記第１帳票の第１接着領域の表面および前記第１帳票の第２接着領域の表面に所定の接着剤を塗布するための第１接着剤塗布手段と、
前記第２帳票の第１接着領域の表面または前記第１帳票の第２接着領域の表面に所定の接着剤を塗布するための第２接着剤塗布手段と、
前記第１帳票の折り用兼切断用ミシン目、第１切断用ミシン目および第２切断用ミシン目、並びに前記第２帳票の折り用兼切断用ミシン目、第１切断用ミシン目および第２切断用ミシン目を形成するためのミシン目形成手段と、
前記第１帳票と前記第２帳票とが重ね合わされた状態において前記第２帳票の第１接着領域の表面と前記第２帳票の第２接着領域の表面とが対向するように前記折り用兼切断用ミシン目に沿って２つ折りするための２つ折り手段と、
前記２つ折り手段によって２つ折りされた帳票の接着すべき部分を圧着するための圧着手段とを備えていることを特徴とする製造システムを提供する。
【００１４】
第３発明の好ましい態様によれば、前記第１方向に沿って連続的に接続された複数の第１帳票からなる第１連続帳票を供給する第１給紙手段と、前記第１方向に沿って連続的に接続された複数の第２帳票からなる第２連続帳票を供給する第２給紙手段と、前記第１連続帳票および前記第２連続帳票から第１帳票および第２帳票を切断するための切断手段とをさらに備えている。
【００１５】
本発明の第４発明では、第１発明および第２発明の２つ折り綴じ合わせ帳票の製造方法において、
前記第１帳票の第１単位帳票領域の表面の一端および前記第１帳票の第２単位帳票領域の表面の一端、並びに前記第１帳票の第１接着領域の表面および前記第１帳票の第２接着領域の表面に所定の接着剤を塗布する第１接着剤塗布工程と、
前記第２帳票の第１接着領域の表面または前記第１帳票の第２接着領域の表面に所定の接着剤を塗布する第２接着剤塗布工程と、
前記第１帳票の折り用兼切断用ミシン目、第１切断用ミシン目および第２切断用ミシン目、並びに前記第２帳票の折り用兼切断用ミシン目、第１切断用ミシン目および第２切断用ミシン目を形成するミシン目形成工程と、
前記第１帳票と前記第２帳票とが重ね合わされた状態において前記第２帳票の第１接着領域の表面と前記第２帳票の第２接着領域の表面とが対向するように前記折り用兼切断用ミシン目に沿って２つ折りする２つ折り工程と、
前記２つ折りされた帳票の接着すべき部分を圧着するための圧着工程とを含むことを特徴とする製造方法を提供する。
【００１６】
【発明の実施の形態】
本発明の２つ折り綴じ合わせ帳票では、第１帳票の表面に第２帳票の裏面が重ね合わされ、第１帳票と第２帳票とはその一端において再剥離可能に接着されている。したがって、２つ折り綴じ合わせ帳票の綴じ合わせ部を取り除いて開封し、且つ中央の折り用兼切断用ミシン目に沿って切断しても、重なり合った一対の単位帳票領域同士、すなわち第１帳票の第１単位帳票領域と第２帳票の第１単位帳票領域とがバラバラに分離したり、第１帳票の第２単位帳票領域と第２帳票の第２単位帳票領域とがバラバラに分離したりすることがない。
【００１７】
また、本発明の２つ折り綴じ合わせ帳票では、必要に応じて再剥離可能な接着部分を剥離することにより、重なり合った一対の単位帳票領域同士、すなわち第１帳票の第１単位帳票領域と第２帳票の第１単位帳票領域とを実質的に損傷なくバラバラに分離したり、第１帳票の第２単位帳票領域と第２帳票の第２単位帳票領域とを実質的に損傷なくバラバラに分離したりすることができる。
【００１８】
さらに、本発明の２つ折り綴じ合わせ帳票では、２つ折り綴じ合わせ帳票の綴じ合わせ部を取り除いて開封し且つ中央の折り用兼切断用ミシン目に沿って切断して得られる重なり合った一対の単位帳票領域同士、すなわち第１帳票の第１単位帳票領域と第２帳票の第１単位帳票領域、および第１帳票の第２単位帳票領域と第２帳票の第２単位帳票領域とをそれぞれ左右開きにすることができる。換言すると、重なり合った一対の横書きされた単位帳票領域同士を左右開きで見ることができるので、各単位帳票領域に記載された情報を確認し易く、且つ各単位帳票領域の取り扱いも容易になる。
【００１９】
本発明の実施形態を、添付図面に基づいて説明する。
図１は、本発明の第１実施形態にかかる２つ折り綴じ合わせ帳票の構成およびその取り扱い方法を概略的に説明する図である。図１（ａ）に示すように、第１実施形態にかかる２つ折り綴じ合わせ帳票は、互いに同じ基本構成を有する２つの帳票１および２から構成されている。以下、第１帳票１に着目して、各帳票の基本的な構成を説明する。なお、括弧内には、第２帳票２の対応する部分の参照符号を示している。
【００２０】
第１帳票１（第２帳票２）では、図中水平方向に沿ってその中央に形成された折り用兼切断用ミシン目１ａ（２ａ）が形成されている。また、第１帳票１（第２帳票２）の図中上端の近傍において、折り用兼切断用ミシン目１ａ（２ａ）に対して平行に第１切断用ミシン目１ｂ（２ｂ）が形成されている。さらに、第１帳票１（第２帳票２）の図中下端の近傍において、折り用兼切断用ミシン目１ａ（２ａ）に関して第１切断用ミシン目１ｂ（２ｂ）と対称に第２切断用ミシン目１ｃ（２ｃ）が形成されている。
【００２１】
こうして、折り用兼切断用ミシン目１ａ（２ａ）と第１切断用ミシン目１ｂ（２ｂ）との間に、第１単位帳票領域１ｄ（２ｄ）が設けられている。また、折り用兼切断用ミシン目１ａ（２ａ）と第２切断用ミシン目１ｃ（２ｃ）との間に、第２単位帳票領域１ｅ（２ｅ）が設けられている。さらに、第１切断用ミシン目１ｂ（２ｂ）よりも外側（図中上側）には、水平方向に沿って細長い矩形形状を有する第１接着領域１ｆ（２ｆ）が形成されている。また、第２切断用ミシン目１ｃ（２ｃ）よりも外側（図中下側）には、水平方向に沿って細長い矩形形状を有する第２接着領域１ｇ（２ｇ）が形成されている。
【００２２】
なお、第１単位帳票領域１ｄ（２ｄ）の表面および第２単位帳票領域１ｅ（２ｅ）の表面は、水平方向に沿って横書きされるように設定されている。そして、第１帳票１の第１接着領域１ｆの表面および第２接着領域１ｇの表面には、比較的強い接着作用を有する接着剤１ｈおよび１ｉが、たとえば連続直線状に塗布されている。また、第２接着領域２ｇの表面（または第２帳票２の第１接着領域２ｆの表面）にも、比較的強い接着作用を有する接着剤２ｈが、たとえば連続直線状に塗布されている。
【００２３】
さらに、第１帳票１の第１単位帳票領域１ｄの表面には、その図中左端において鉛直方向に沿って、比較的弱い接着作用を有する再剥離可能な接着剤１ｊが断続直線状に塗布されている。同様に、第１帳票１の第２単位帳票領域１ｅの表面にも、その図中左端において鉛直方向に沿って、比較的弱い接着作用を有する再剥離可能な接着剤１ｋが断続直線状に塗布されている。
【００２４】
したがって、第１帳票１の表面に第２帳票２の裏面を重ね合わせた状態で、第１帳票１の第１接着領域１ｆの表面と第２帳票２の第１接着領域２ｆの裏面とが接着され、第１帳票１の第２接着領域１ｇの表面と第２帳票２の第２接着領域２ｇの裏面とが接着される。また、第１帳票１の第１単位帳票領域１ｄの表面の左端と第２帳票２の第１単位帳票領域２ｄの裏面の左端とが鉛直方向に沿って再剥離可能に接着され、第１帳票１の第２単位帳票領域１ｅの表面の左端と第２帳票２の第２単位帳票領域２ｅの裏面の左端とが鉛直方向に沿って再剥離可能に接着される。
【００２５】
第１実施形態では、第１帳票１の表面に第２帳票２の裏面を重ね合わせた状態から、折り用兼切断用ミシン目１ａおよび２ａに沿って２つ折りされ、第２帳票２の第１接着領域２ｆの表面と第２帳票２の第２接着領域２ｇの表面とが接着されている。その結果、図１（ｂ）に示すように、第１帳票１の第１単位帳票領域１ｄの裏面が第１実施形態の２つ折り綴じ合わせ帳票の表表紙を構成することになる。また、第１帳票１の第２単位帳票領域１ｅの裏面が第１実施形態の２つ折り綴じ合わせ帳票の裏表紙を構成することになる。したがって、第１帳票１の第１単位帳票領域１ｄの裏面および第２単位帳票領域１ｅの裏面も、水平方向に沿って横書きされるように設定されている。
【００２６】
第１実施形態では、互いに重ね合わされ且つ接着された第１帳票１の第１接着領域１ｆおよび第２接着領域１ｇと第２帳票２の第１接着領域２ｆおよび第２接着領域２ｇとからなる綴じ合わせ部３（図１（ｂ）を参照）を、切断用ミシン目４（１ｂ，１ｃ，２ｂ，２ｃ）に沿って切断することにより取り除いて、開封する。開封した状態では、図１（ｃ）に示すように、第１帳票１の表面に第２帳票２の裏面が重ね合わされ、第１帳票１と第２帳票２とは、その左端において鉛直方向に沿って再剥離可能に接着されている。
【００２７】
次に、互いに対をなす第１帳票１の第１単位帳票領域１ｄおよび第２帳票２の第１単位帳票領域２ｄと、互いに対をなす第１帳票１の第２単位帳票領域１ｅおよび第２帳票２の第２単位帳票領域２ｅとを分離するために、中央の折り用兼切断用ミシン目１ａおよび２ａに沿って切断すると、図１（ｄ）に示すように、左端において鉛直方向に沿って再剥離可能に接着された第１帳票１の第１単位帳票領域１ｄと第２帳票２の第１単位帳票領域２ｄとからなる帳票部分５と、左端において鉛直方向に沿って再剥離可能に接着された第１帳票１の第２単位帳票領域１ｅと第２帳票２の第２単位帳票領域２ｅとからなる帳票部分６とが得られる。
【００２８】
ここで、帳票部分５の２つの第１単位帳票領域１ｄおよび２ｄがたとえば説明書を構成する場合、第１頁である第１単位帳票領域２ｄを読んだ後、図１（ｅ）に示すように、左右開きにして第２頁である第１単位帳票領域１ｄを読む。一方、帳票部分６の２つの第２単位帳票領域１ｅおよび２ｅがたとえば複写式の申込書を構成する場合、第１頁である第２単位帳票領域２ｅに所要の情報を書き込んだ後、図１（ｆ）に示すように、左右開きにして第２頁である第２単位帳票領域１ｅへの複写を確認する。そして、複写が完了すると、再剥離可能な接着部分（１ｋ）を剥離することにより、一対の第２単位帳票領域２ｅと１ｅとが実質的に損傷なくバラバラに分離される。なお、複写方式として、たとえばノーカーボン複写方式を採用することができる。ノーカーボン複写方式では、第２単位帳票領域２ｅの裏面に染料内包マイクロカプセル層を形成し、第２単位帳票領域１ｅの表面に呈色剤を塗布する。あるいは、第２単位帳票領域１ｅの表面に、染料内包マイクロカプセル層を形成するとともに呈色剤を塗布する。いずれの場合も、帳票の折り畳みに際してマイクロカプセルの破損による発色を防ぐために、公知の減感剤を折り畳み部に塗布しておくことが好ましい。また、第１単位帳票領域２ｄの表面および第２単位帳票領域２ｅの表面のうち少なくともいずれか一方に、個人の属性情報などを含む管理情報として、たとえば少なくとも１つの管理用バーコードを印画することが好ましい。
【００２９】
以上のように、第１実施形態では、第１帳票１の表面に第２帳票２の裏面が重ね合わされ、第１帳票１と第２帳票２とはその一端において再剥離可能に接着されている。したがって、綴じ合わせ部３を取り除いて開封し、且つ中央の折り用兼切断用ミシン目１ａおよび２ａに沿って切断しても、重なり合った一対の単位帳票領域同士、すなわち第１帳票１の第１単位帳票領域１ｄと第２帳票２の第１単位帳票領域２ｄとがバラバラに分離したり、第１帳票１の第２単位帳票領域１ｅと第２帳票２の第２単位帳票領域２ｅとがバラバラに分離したりすることがない。また、必要に応じて再剥離可能な接着部分（１ｊ、１ｋ）を剥離することにより、重なり合った一対の単位帳票領域同士、すなわち第１帳票１の第１単位帳票領域１ｄと第２帳票２の第１単位帳票領域２ｄとを実質的に損傷なくバラバラに分離したり、第１帳票１の第２単位帳票領域１ｅと第２帳票２の第２単位帳票領域２ｅとを実質的に損傷なくバラバラに分離したりすることができる。
【００３０】
さらに、綴じ合わせ部３を取り除いて開封し且つ中央の折り用兼切断用ミシン目１ａおよび２ａに沿って切断して得られる重なり合った一対の単位帳票領域同士、すなわち第１帳票１の第１単位帳票領域１ｄと第２帳票２の第１単位帳票領域２ｄ、および第１帳票１の第２単位帳票領域１ｅと第２帳票２の第２単位帳票領域２ｅとをそれぞれ左右開きにすることができる。換言すると、重なり合った一対の横書きされた単位帳票領域同士を左右開きで見ることができるので、各単位帳票領域に記載された情報を確認し易く、且つ各単位帳票領域の取り扱いも容易になる。
【００３１】
図２は、本発明の第２実施形態にかかる２つ折り綴じ合わせ帳票の構成およびその取り扱い方法を概略的に説明する図である。図２（ａ）に示すように、第２実施形態にかかる２つ折り綴じ合わせ帳票は、第１実施形態と同様に、互いに同じ基本構成を有する２つの帳票１１および１２から構成されている。以下、第１帳票１１に着目して、各帳票の基本的な構成を説明する。なお、括弧内には、第２帳票１２の対応する部分の参照符号を示している。
【００３２】
第１帳票１１（第２帳票１２）では、図中鉛直方向に沿ってその中央に形成された折り用兼切断用ミシン目１１ａ（１２ａ）が形成されている。また、第１帳票１１（第２帳票１２）の図中左端の近傍において、折り用兼切断用ミシン目１１ａ（１２ａ）に対して平行に第１切断用ミシン目１１ｂ（１２ｂ）が形成されている。さらに、第１帳票１１（第２帳票１２）の図中右端の近傍において、折り用兼切断用ミシン目１１ａ（１２ａ）に関して第１切断用ミシン目１１ｂ（１２ｂ）と対称に第２切断用ミシン目１１ｃ（１２ｃ）が形成されている。
【００３３】
こうして、折り用兼切断用ミシン目１１ａ（１２ａ）と第１切断用ミシン目１１ｂ（１２ｂ）との間に、第１単位帳票領域１１ｄ（１２ｄ）が設けられている。また、折り用兼切断用ミシン目１１ａ（１２ａ）と第２切断用ミシン目１１ｃ（１ｃ）との間に、第２単位帳票領域１１ｅ（１２ｅ）が設けられている。さらに、第１切断用ミシン目１１ｂ（１２ｂ）よりも外側（図中左側）には、鉛直方向に沿って細長い矩形形状を有する第１接着領域１１ｆ（１２ｆ）が形成されている。また、第２切断用ミシン目１１ｃ（１２ｃ）よりも外側（図中右側）には、鉛直方向に沿って細長い矩形形状を有する第２接着領域１１ｇ（１２ｇ）が形成されている。
【００３４】
なお、第１単位帳票領域１１ｄ（１２ｄ）の表面および第２単位帳票領域１１ｅ（１２ｅ）の表面は、水平方向に沿って横書きされるように設定されている。そして、第１帳票１の第１接着領域１１ｆの表面および第２接着領域１１ｇの表面には、比較的強い接着作用を有する接着剤１１ｈおよび１１ｉが、たとえば連続直線状に塗布されている。また、第２接着領域１２ｇの表面（または第２帳票２の第１接着領域１２ｆの表面）にも、比較的強い接着作用を有する接着剤１２ｈが、たとえば連続直線状に塗布されている。
【００３５】
さらに、第１帳票１の第１単位帳票領域１１ｄの表面および第２単位帳票領域１１ｅの表面には、折り用兼切断用ミシン目１１ａに沿って、比較的弱い接着作用を有する再剥離可能な接着剤１１ｊが断続直線状に塗布されている。なお、図面の明瞭化のために、折り用兼切断用ミシン目１１ａの両側に一対の接着領域が形成されているように図示しているが、第２実施形態では折り用兼切断用ミシン目１１ａに沿って１本の接着領域（１１ｊ）が形成されているものとする。もちろん、折り用兼切断用ミシン目１１ａの両側に一対の接着領域を形成してもよいことはいうまでもない。
【００３６】
したがって、第１帳票１１の表面に第２帳票１２の裏面を重ね合わせた状態で、第１帳票１１の第１接着領域１１ｆの表面と第２帳票１２の第１接着領域１２ｆの裏面とが接着され、第１帳票１１の第２接着領域１１ｇの表面と第２帳票１２の第２接着領域１２ｇの裏面とが接着される。また、第１帳票１１の第１単位帳票領域１１ｄの表面の右端と第２帳票１２の第１単位帳票領域１２ｄの裏面の右端とが鉛直方向に沿って再剥離可能に接着され、第１帳票１１の第２単位帳票領域１１ｅの表面の左端と第２帳票１２の第２単位帳票領域１２ｅの裏面の左端とが鉛直方向に沿って再剥離可能に接着される。
【００３７】
第２実施形態では、第１帳票１１の表面に第２帳票１２の裏面を重ね合わせた状態から、折り用兼切断用ミシン目１１ａおよび１２ａに沿って２つ折りされ、第２帳票１２の第１接着領域１２ｆの表面と第２帳票１２の第２接着領域１２ｇの表面とが接着されている。その結果、図２（ｂ）に示すように、第１帳票１１の第１単位帳票領域１１ｄの裏面が第２実施形態の２つ折り綴じ合わせ帳票の表表紙を構成することになる。また、第１帳票１１の第２単位帳票領域１１ｅの裏面が第２実施形態の２つ折り綴じ合わせ帳票の裏表紙を構成することになる。したがって、第１帳票１１の第１単位帳票領域１１ｄの裏面および第２単位帳票領域１１ｅの裏面も、水平方向に沿って横書きされるように設定されている。
【００３８】
第２実施形態では、互いに重ね合わされ且つ接着された第１帳票１１の第１接着領域１１ｆおよび第２接着領域１１ｇと第２帳票１２の第１接着領域１２ｆおよび第２接着領域１２ｇとからなる綴じ合わせ部１３（図２（ｂ）を参照）を、切断用ミシン目１４（１１ｂ，１１ｃ，１２ｂ，１２ｃ）に沿って切断することにより取り除いて、開封する。開封した状態では、図２（ｃ）に示すように、第１帳票１１の表面に第２帳票１２の裏面が重ね合わされ、第１帳票１１と第２帳票１２とは、その左端において鉛直方向に沿って再剥離可能に接着されている。
【００３９】
次に、互いに対をなす第１帳票１１の第１単位帳票領域１１ｄおよび第２帳票１２の第１単位帳票領域１２ｄと、互いに対をなす第１帳票１１の第２単位帳票領域１１ｅおよび第２帳票２の第２単位帳票領域１２ｅとを分離するために、中央の折り用兼切断用ミシン目１１ａおよび１２ａに沿って切断すると、図２（ｄ）に示すように、右端において鉛直方向に沿って再剥離可能に接着された第１帳票１１の第１単位帳票領域１１ｄと第２帳票１２の第１単位帳票領域１２ｄとからなる帳票部分１５と、左端において鉛直方向に沿って再剥離可能に接着された第１帳票１１の第２単位帳票領域１１ｅと第２帳票１２の第２単位帳票領域１２ｅとからなる帳票部分１６とが得られる。
【００４０】
ここで、帳票部分１５の２つの第１単位帳票領域１１ｄおよび１２ｄがたとえば説明書を構成する場合、第１頁である第１単位帳票領域１２ｄを読んだ後、図２（ｅ）に示すように、左右開きにして第２頁である第１単位帳票領域１１ｄを読む。一方、帳票部分１６の２つの第２単位帳票領域１１ｅおよび１２ｅがたとえば複写式の申込書を構成する場合、第１頁である第２単位帳票領域１２ｅに所要の情報を書き込んだ後、図２（ｆ）に示すように、左右開きにして第２頁である第２単位帳票領域１１ｅへの複写を確認する。そして、複写が完了すると、再剥離可能な接着部分（１１ｊ）を剥離することにより、一対の第２単位帳票領域１２ｅと１１ｅとが実質的に損傷なくバラバラに分離される。
【００４１】
以上のように、第２実施形態においても第１実施形態と同様に、第１帳票１１の表面に第２帳票１２の裏面が重ね合わされ、第１帳票１１と第２帳票１２とはその一端において再剥離可能に接着されている。したがって、綴じ合わせ部１３を取り除いて開封し、且つ中央の折り用兼切断用ミシン目１１ａおよび１２ａに沿って切断しても、重なり合った一対の単位帳票領域同士、すなわち第１帳票１１の第１単位帳票領域１１ｄと第２帳票１２の第１単位帳票領域１２ｄとがバラバラに分離したり、第１帳票１１の第２単位帳票領域１１ｅと第２帳票１２の第２単位帳票領域１２ｅとがバラバラに分離したりすることがない。また、必要に応じて再剥離可能な接着部分（１１ｊ）を剥離することにより、重なり合った一対の単位帳票領域同士、すなわち第１帳票１１の第１単位帳票領域１１ｄと第２帳票１２の第１単位帳票領域１２ｄとを実質的に損傷なくバラバラに分離したり、第１帳票１１の第２単位帳票領域１１ｅと第２帳票１２の第２単位帳票領域１２ｅとを実質的に損傷なくバラバラに分離したりすることができる。
【００４２】
さらに、綴じ合わせ部１３を取り除いて開封し且つ中央の折り用兼切断用ミシン目１１ａおよび１２ａに沿って切断して得られる重なり合った一対の単位帳票領域同士、すなわち第１帳票１１の第１単位帳票領域１１ｄと第２帳票１２の第１単位帳票領域１２ｄ、および第１帳票１１の第２単位帳票領域１１ｅと第２帳票１２の第２単位帳票領域１２ｅとをそれぞれ左右開きにすることができる。換言すると、重なり合った一対の横書きされた単位帳票領域同士を左右開きで見ることができるので、各単位帳票領域に記載された情報を確認し易く、且つ各単位帳票領域の取り扱いも容易になる。
【００４３】
図３は、本発明の第１実施形態にかかる２つ折り綴じ合わせ帳票を連続的に製造するシステムの構成を概略的に示す図である。図３に示すシステムは、第１連続帳票２１を供給するための給紙部の一部として、中心軸２２ａを中心として回転自在に支持されたドラム２２を備えている。また、第２連続帳票２３を供給するための給紙部の一部として、中心軸２４ａを中心として回転自在に支持されたドラム２４を備えている。第１連続帳票２１では、第１実施形態にかかる第１帳票１を構成すべき単位帳票が連続的に多数形成されている。また、第２連続帳票２３では、第１実施形態にかかる第２帳票２を構成すべき単位帳票が連続的に多数形成されている。
【００４４】
具体的には、第１連続帳票２１および第２連続帳票２３は、図４に示すように、典型的なコンピュータ出力連続帳票である。すなわち、第１連続帳票２１および第２連続帳票２３は、多数の単位帳票３１を一方向（以下、「連続方向」という）に沿って連続させた形態を有する。連続方向に沿って隣接する２つの単位帳票３１の間には、連続方向と直交する方向（以下、「幅方向」という）に沿って切断用ミシン目３２が連続帳票の全体に亘って形成されている。
【００４５】
また、第１連続帳票２１および第２連続帳票２３には、その幅方向の両側において連続方向に沿って延びる細長いマージナル部３３が形成されている。すなわち、マージナル部３３は、連続帳票の外側エッジ３４と、外側エッジ３４から所定の間隔を隔てて連続方向に沿って延びる切断用ミシン目３５とによって規定される領域である。このマージナル部３３には、多数の搬送用のマージナル孔３６が連続方向に沿って等間隔に形成されている。
【００４６】
なお、各単位帳票３１の表面は、第１実施形態の第１帳票１の表面および第２帳票２の表面に対応している。すなわち、幅方向に沿って延びる切断用ミシン目３２は図１（ａ）に示す第１帳票１および第２帳票２の左右端に対応し、連続方向に沿って延びる切断用ミシン目３５は図１（ａ）に示す第１帳票１および第２帳票２の上下端に対応している。
【００４７】
また、第１連続帳票２１および第２連続帳票２３の各単位帳票３１の表面には、不変情報が連続方向に沿って横書きにプレ印刷され、且つ可変情報が連続方向に沿って横書きに印字または印画されている。また、第１連続帳票２１の各単位帳票３１の裏面にも、必要に応じて、２つ折り綴じ合わせ帳票の表表紙および裏表紙としての情報が連続方向に沿って横書きに形成されている。
【００４８】
第１連続帳票２１および第２連続帳票２３は、図３に示すように、各単位帳票３１の連続方向とドラム２２および２４の円周方向とが一致するように多数回に亘って巻き付けられた状態でドラム２２および２４に設置されている。ドラム２２および２４に設置された第１連続帳票２１および第２連続帳票２３は、たとえばマージナル孔３６と係合するように形成された多数のマージナルピンを有する一対の無端状ベルトを処理経路に沿った所定の軌道に沿って駆動する機構（不図示）により、第１接着剤塗布部２５および第２接着剤塗布部２６へそれぞれ送られる。
【００４９】
すなわち、システムのオペレータが第１連続帳票２１および第２連続帳票２３の先端部のマージナル孔３６を一対の無端状ベルトのマージナルピンに係合させた後に無端状ベルトを駆動することにより、第１連続帳票２１および第２連続帳票２３がドラム２２および２４から第１接着剤塗布部２５および第２接着剤塗布部２６へそれぞれ連続的に移送される。
【００５０】
第１接着剤塗布部２５では、第１帳票１の第１接着領域１ｆおよび第１接着領域１ｇの所定位置に、比較的強い接着作用を有する接着剤１ｈおよび１ｉを塗布する。また、第１帳票１の第１単位帳票領域１ｄおよび第２単位帳票領域１ｅの所定位置に、比較的弱い接着作用を有する再剥離可能な接着剤１ｊおよび１ｋを塗布する。一方、第２接着剤塗布部２６では、第１帳票２の第２接着領域２ｇの所定位置に、比較的強い接着作用を有する接着剤２ｈを塗布する。
【００５１】
第１接着剤塗布部２５を介して接着剤の塗布された第１連続帳票２１と第２接着剤塗布部２６を介して接着剤の塗布された第２連続帳票２３とは重ね合わされた後、縦ミシン目形成部２７へ移送される。縦ミシン目形成部２７では、第１帳票１の折り用兼切断用ミシン目１ａ、第１切断用ミシン目１ｂおよび第２切断用ミシン目１ｃ、並びに第２帳票２の折り用兼切断用ミシン目２ａ、第１切断用ミシン目２ｂおよび第２切断用ミシン目２ｃが形成される。縦ミシン目形成部２７として、たとえばパルスレーザー光源を用いた装置を使用することができる。
【００５２】
縦ミシン目形成部２７を介してミシン目の形成された第１連続帳票２１と第２連続帳票２３とは、切断部２８に移送される。なお、切断部２８の直前において、スリッタ（不図示）の作用により、切断用ミシン目３５に沿ってマージナル部３３が第１連続帳票２１および第２連続帳票２３から連続的に切り落とされる。切断部２８では、マージナル部３３が切り落とされた第１連続帳票２１および第２連続帳票２３を切断用ミシン目３２に沿って順次切断する。すなわち、切断部２８では、各単位帳票３１が第１連続帳票２１および第２連続帳票２３から順次切り離される。切断部２８は、具体的には、たとえば低速回転する一対のローラと、高速回転する一対のローラとを備えている。切断部２８に供給された第１連続帳票２１および第２連続帳票２３の先端部は、低速回転ローラを介した後に高速回転ローラに達する。
【００５３】
このとき、高速回転ローラの間隔は広く設定されており、低速回転ローラの作用により第１連続帳票２１および第２連続帳票２３は移送される。やがて、第１連続帳票２１および第２連続帳票２３の切断用ミシン目３２が所定の位置に達すると、高速回転ローラはその間隔を狭める。その結果、第１連続帳票２１および第２連続帳票２３には、低速回転ローラと高速回転ローラとの移送速度差により連続方向に沿った引張り力が作用する。この状態において、たとえばブレードによる突出力を第１連続帳票２１および第２連続帳票２３の切断用ミシン目３２に作用させることにより、切断用ミシン目３２に沿って切断される。
【００５４】
こうして、第１連続帳票２１および第２連続帳票２３を切断用ミシン目３２に沿って順次切断することによって作成された２枚の単位帳票、すなわち互いに重ね合わされた第１帳票１と第２帳票２とは、２つ折り部２９へ移送される。２つ折り部２９では、重ね合わされた第１帳票１と第２帳票２とが、第２帳票２の折り用兼切断用ミシン目２ａ（および第１帳票１の折り用兼切断用ミシン目１ａ）によって２つ折りされる。その結果、第２帳票２の第１接着領域２ｆと第２接着領域２ｇとが対向した２つ折り形態となる。この種の２つ折り畳み機構は、すでに知られており、その内部機構について詳細な説明は省略する。
【００５５】
２つ折り部２９を介して２つ折りされた第１帳票１と第２帳票２とは、圧着部３０へ移送される。圧着部３０は、一対の圧着ローラーを備えている。なお、一対の圧着ローラーは、各２つ折り帳票（１，２）の送給方向と直交する方向に沿って延びる一対の軸線を中心として回転駆動されるように構成されている。また、一対の圧着ローラーの間隔は、各２つ折り帳票（１，２）に加えるべき圧力に応じて調整自在に構成されている。圧着部３０では、各２つ折り帳票（１，２）が一対の圧着ローラーの間を通過する際に、その重ね合わせ接着面が圧着される。
【００５６】
すなわち、図１を参照すると、各２つ折り帳票（１，２）において、第１帳票１の第１接着領域１ｆの表面と第２帳票２の第１接着領域２ｆの裏面とが接着され、第１帳票１の第２接着領域１ｇの表面と第２帳票２の第２接着領域２ｇの裏面とが接着される。また、第１帳票１の第１単位帳票領域１ｄの表面の左端と第２帳票２の第１単位帳票領域２ｄの裏面の左端とが鉛直方向に沿って再剥離可能に接着され、第１帳票１の第２単位帳票領域１ｅの表面の左端と第２帳票２の第２単位帳票領域２ｅの裏面の左端とが鉛直方向に沿って再剥離可能に接着される。
【００５７】
さらに、第２帳票２の第１接着領域２ｆの表面と第２接着領域２ｇの表面とが接着される。こうして、圧着部３０を介して形成された２つ折り綴じ合わせ帳票３１は、互いに重なり合うようにスタックされる（積み重ねられる）。以上のように、図３に示す製造システムでは、第１実施形態にかかる２つ折り綴じ合わせ帳票を、円滑に且つ迅速に製造することができる。なお、第２実施形態にかかる２つ折り綴じ合わせ帳票を製造するシステムも、図３に示す製造システムと同様の構成で実現することができる。
【００５８】
なお、上述の製造システムでは、接着剤を塗布した後に２つの帳票を重ね合わせてミシン目を形成しているが、２つの帳票に別々にミシン目を形成した後に接着剤を塗布することができる。また、２つの帳票を重ね合わせてミシン目を形成した後に切断しているが、２つの帳票を別々に切断した後にミシン目を形成することができる。さらに、ミシン目の形成や切断の後に接着剤の塗布を行うこともできる。また、第１帳票への接着剤に塗布と第２帳票への接着剤に塗布との間に、ミシン目の形成や切断などを行っても良い。以上のように、本発明の製造システムおよび方法については、様々な変形例が可能である。
【００５９】
また、上述の各実施形態では、２枚の帳票を重ねて本発明の２つ折り綴じ合わせ帳票を構成しているが、たとえば３枚以上の帳票を重ねて本発明の２つ折り綴じ合わせ帳票を構成することもできる。さらに、接着剤の塗布領域についても、本発明の範囲内で様々な変形例が可能である。すなわち、上述の各実施形態に限定されることなく、本発明の２つ折り綴じ合わせ帳票についても、様々な変形例が可能である。
【００６０】
【発明の効果】
以上説明したように、本発明の２つ折り綴じ合わせ帳票では、綴じ合わせ部を取り除いて開封し且つ中央ミシン目に沿って切断しても、重なり合った一対の単位帳票領域同士がバラバラに分離することなく、また重なり合った一対の単位帳票領域同士を実質的に損傷なくバラバラに分離することができる。
【００６１】
また、本発明の２つ折り綴じ合わせ帳票では、綴じ合わせ部を取り除いて開封し且つ中央ミシン目に沿って切断して得られる重なり合った一対の単位帳票領域同士を左右開きで見ることができる。さらに、本発明の製造システムおよび方法では、本発明にかかる２つ折り綴じ合わせ帳票を、円滑に且つ迅速に製造することができる。
【図面の簡単な説明】
【図１】本発明の第１実施形態にかかる２つ折り綴じ合わせ帳票の構成およびその取り扱い方法を概略的に説明する図である。
【図２】本発明の第２実施形態にかかる２つ折り綴じ合わせ帳票の構成およびその取り扱い方法を概略的に説明する図である。
【図３】本発明の第１実施形態にかかる２つ折り綴じ合わせ帳票を連続的に製造するシステムの構成を概略的に示す図である。
【図４】図３の第１連続帳票および第２連続帳票の構成を概略的に示す図である。
【符号の説明】
１  第１帳票
２  第２帳票
１ａ，２ａ  折り用兼切断用ミシン目
１ｂ，１ｃ，２ｂ，２ｃ  切断用ミシン目
１ｄ，２ｄ  第１単位帳票領域
１ｅ，２ｅ  第２単位帳票領域
２１  第１連続帳票
２３  第２連続帳票
２２，２３  回転ドラム
２５  第１接着剤塗布部
２６  第２接着剤塗布部
２７  縦ミシン目形成部
２８  切断部
２９  ２つ折り部
３０  圧着部
【図１】
0004515597.tif 000002
【図２】
0004515597.tif 000003
【図３】
0004515597.tif 000004
【図４】
0004515597.tif 000005